(57)【要約】【課題】外形寸法をコンパクトに縮小できるように簡単に折りたたむことができるとともに、木製家具としてのデザイン性を有し、かつ、物品の収納スペースを付帯した折りたたみデスクを提供する。【解決手段】矩形状の縦型のフレーム２と、木製の可動天板３と、二枚の木製の可動側板４とによって構成され、フレーム２が、上部２１、左側部２４、及び、右側部２５を有し、可動天板３が、ヒンジを介してフレーム２の上部２１に連結され、フレーム２の上部２１の前端縁２１ａから下方へ向かって垂直に延在する収縮状態から、フレーム２の上部２１から前方へ向かって水平に延在する拡開状態へ姿勢を変更できるように構成され、拡開状態において、可動側板４の各上端縁によって可動天板３の左右両側縁部が支持されることにより、可動天板３の姿勢が維持されるように構成した。【選択図】図１
0003224886.tif 000002
【実用新案登録請求の範囲】
【請求項１】
矩形状の縦型のフレームと、木製の可動天板と、二枚の木製の可動側板とによって構成され、
フレームが、上部、左側部、及び、右側部を有し、
可動天板が、ヒンジを介してフレームの上部に連結され、フレームの上部の前端縁から下方へ向かって垂直に延在する収縮状態から、フレームの上部から前方へ向かって水平に延在する拡開状態へ姿勢を変更できるように構成され、
二枚の可動側板が、ヒンジを介してフレームの左側部及び右側部に一つずつ連結され、フレームの左側部及び右側部の各前端縁から中央部へ向かって延在する収縮状態から、フレームの左側部及び右側部から前方へ向かって延在する拡開状態へ姿勢を変更できるように構成され、
拡開状態において、可動側板の各上端縁によって可動天板の左右両側縁部が支持されることにより、可動天板の拡開状態の姿勢が維持されるように構成されていることを特徴とする折りたたみデスク。
【請求項２】
フレームが、上下に間隔を置いて水平に配置された上部及び下部と左右に間隔を置いて垂直に配置された左側部及び右側部の端部同士が連結された矩形枠状に形成されていることを特徴とする、請求項１に記載の折りたたみデスク。
【請求項３】
フレームが、棚板、及び、背面部を有し、内側において棚板が水平に支持され、背面側に背面部が固定されていることを特徴とする、請求項２に記載の折りたたみデスク。
【請求項４】
キャスターが、フレームの左側部及び右側部の下端に一つずつ取り付けられるとともに、左右の可動側板の下端に一つずつ取り付けられていることを特徴とする、請求項１に記載の折りたたみデスク。
【請求項５】
可動側板の下端のキャスターが、フレームの左側部及び右側部の下端のキャスターから最も離れた位置にそれぞれ取り付けられていることを特徴とする、請求項４に記載の折りたたみデスク。
【考案の詳細な説明】
【技術分野】
【０００１】
本考案は、折りたたむことによって外形寸法を縮小することができ、僅かな空きスペース等に収容することができる折りたたみデスクに関する。
【背景技術】
【０００２】
不使用時に僅かな空きスペースに収容できるように、或いは、携帯が可能なように、天板及び／又は脚部を折りたたむことによって外形寸法を縮小することができるように構成した折りたたみデスクとして、様々なタイプのものが考案されている。
【先行技術文献】
【特許文献】
【０００３】
【特許文献１】実開平５−８２３２２号公報
【考案の概要】
【考案が解決しようとする課題】
【０００４】
従来の折りたたみデスクには、「折りたたむことができる」という機能性を追求したものが多く、住居或いは事務所において使用される木製家具としてのデザイン性を有するものは殆ど存在せず、また、物品を収納できるスペースを付帯した折りたたみデスクも存在しない。
【０００５】
本考案は、このような従来技術における問題を解決しようとするものであって、外形寸法を縮小できるように簡単に折りたたむことができるとともに、木製家具としてのデザイン性を有し、かつ、物品の収納スペースを付帯した折りたたみデスクを提供することを目的とする。
【課題を解決するための手段】
【０００６】
本考案に係る折りたたみデスクは、矩形状の縦型のフレームと、木製の可動天板と、二枚の木製の可動側板とによって構成され、フレームが、上部、左側部、及び、右側部を有し、可動天板が、ヒンジを介してフレームの上部に連結され、フレームの上部の前端縁から下方へ向かって垂直に延在する収縮状態から、フレームの上部から前方へ向かって水平に延在する拡開状態へ姿勢を変更できるように構成され、二枚の可動側板が、ヒンジを介してフレームの左側部及び右側部に一つずつ連結され、フレームの左側部及び右側部の各前端縁から中央部へ向かって延在する収縮状態から、フレームの左側部及び右側部から前方へ向かって延在する拡開状態へ姿勢を変更できるように構成され、拡開状態において、可動側板の各上端縁によって可動天板の左右両側縁部が支持されることにより、可動天板の拡開状態の姿勢が維持されるように構成されていることを特徴としている。
【０００７】
尚、フレームは、上下に間隔を置いて水平に配置された上部及び下部と左右に間隔を置いて垂直に配置された左側部及び右側部の端部同士が連結された矩形枠状に形成されていることが好ましく、また、棚板、及び、背面部を有し、内側において棚板が水平に支持され、背面側に背面部が固定されていることが好ましい。
【０００８】
更に、キャスターが、フレームの左側部及び右側部の下端に一つずつ取り付けられるとともに、左右の可動側板の下端に一つずつ取り付けられていることが好ましく、また、可動側板の下端のキャスターが、フレームの左側部及び右側部の下端のキャスターから最も離れた位置にそれぞれ取り付けられていることが好ましい。
【考案の効果】
【０００９】
本考案に係る折りたたみデスクは、外形寸法をコンパクトに縮小できるように簡単に折りたたむことができ、室内の僅かな空きスペース等に好適に収納することができ、更に、木製家具としてのデザイン性を有し、かつ、フレーム内に物品の収納スペースを確保することができる。
【図面の簡単な説明】
【００１０】
【図１】図１は、本考案の第一実施形態に係る折りたたみデスク１の収縮態を示す斜視図である。
【図２】図２は、図１に示す折りたたみデスク１における可動天板３の拡開状態を示す斜視図である。
【図３】図３は、図１に示す折りたたみデスク１における可動天板３及び可動側板４の拡開状態を示す斜視図である。
【考案を実施するための形態】
【００１１】
以下、添付図面に沿って本考案に係る折りたたみデスクの実施形態について説明する。図１は、本考案の第一実施形態に係る折りたたみデスク１の収縮状態（可動部を折りたたんだ状態）を示す斜視図である。この折りたたみデスク１は、矩形状の縦型のフレーム２と、木製の可動天板３と、二枚の木製の可動側板４と、四つのキャスター５とによって構成されている。
【００１２】
フレーム２は、六枚の板状の部材（水平な上部２１、下部２２、棚板２３、及び、垂直な左側部２４、右側部２５、背面部２６）によって形成されている。より具体的には、上部２１及び下部２２を上下に間隔を置いて水平に配置するとともに、左側部２４及び右側部２５を左右に間隔を置いて垂直に配置し、それらの端部同士を連結して矩形状の枠を形成し、内側に棚板２３を水平に支持し、背面側に背面部２６を固定することによって形成されている。
【００１３】
キャスター５は、フレーム２の左側部２４及び右側部２５の下端に一つずつ取り付けられ、また、左右の可動側板４の下端に一つずつ取り付けられている。
【００１４】
可動天板３は、ヒンジ（図示せず）を介して、フレーム２の上部２１に連結されており、フレーム２の上部２１の前端縁２１ａ近傍の水平軸線を中心として９０°回動させることができ、図１に示すように、フレーム２の上部２１の前端縁２１ａから下方へ向かって垂直に延在する状態（収縮状態）から、図２に示すように、フレーム２の上部２１から前方へ向かって水平に延在する状態（拡開状態）へ、姿勢を変更できるように構成されている。
【００１５】
可動側板４は、ヒンジ６（図３参照）を介して、フレーム２の左側部２４及び右側部２５に一つずつ連結されており、フレーム２の左側部２４及び右側部２５の各前端縁近傍の垂直軸線を中心としてそれぞれ９０°回動させることができ、図１及び図２に示すように、フレーム２の左側部２４及び右側部２５の各前端縁から中央部へ向かって（上部２１及び下部２２の長手方向に沿って）延在する状態（収縮状態）から、図３に示すように、フレーム２の左側部２４及び右側部２５から前方へ向かって延在する状態（拡開状態）へ、姿勢を変更できるように構成されている。
【００１６】
そして、図３に示すように、可動天板３は、その左右両側縁部が、拡開状態の可動側板４の各上端縁によって支持されることにより、姿勢（拡開状態）が安定的に維持され、デスクとして好適に使用することができる。また、可動側板４の下端のキャスター５は、フレーム２の左側部２４及び右側部２５の下端のキャスター５から最も離れた位置に取り付けられているため、可動側板４が拡開状態にあるとき、前後のキャスター５の間隔寸法が最大となる。このため、四つのキャスター５によって、折りたたみデスク１を安定的に支持することができる。
【００１７】
また、可動側板４の下端が設置床面に直接接触するような構造とした場合、可動側板４の開閉動作（収縮状態から拡開状態への姿勢変更動作）を行う際に、設置床面を傷つけてしまうという問題があり、また、設置床面との摩擦によって開閉動作を円滑に行うことができないという問題があるが、本実施形態においては、可動側板４の下端にキャスター５が取り付けられているため、それらの問題を好適に回避することができる。
【００１８】
更に、この折りたたみデスクは、フレーム２の内部のスペース（より具体的には、下部２２上のスペース及び棚板２３上のスペース）を、物品の収納スペースとして利用することができる。
【符号の説明】
【００１９】
１：折りたたみデスク、
２：フレーム、
３：可動天板、
４：可動側板、
５：キャスター、
６：ヒンジ、
２１：上部、
２１ａ：前端縁、
２２：下部、
２３：棚板、
２４：左側部、
２５：右側部、
２６：背面部、
【図１】
0003224886.tif 000003
【図２】
0003224886.tif 000004
【図３】
0003224886.tif 000005